(57)【要約】【課題】用紙の乾燥時の部分的な伸縮率の差やねじれに影響されることなく、すき入れ模様の位置に対応した定位置断裁方法を提供する。【解決手段】連続用紙の抄造工程における乾燥工程以降に、すき入れ模様の透過画像を取得するすき入れ模様読取工程と、すき入れ模様読取工程で取得したすき入れ模様の位置から、すき入れ基準座標を算出し、すき入れ基準座標から断裁制御マークを付与する位置を決定する断裁制御マーク付与位置決定工程と、断裁制御マーク付与位置決定工程で決定された位置に断裁制御マークを付与する断裁制御マーク付与工程と、連続用紙に付与された断裁制御マークを読取り、連続用紙をすき入れ模様が枚葉紙単位内の定位置となるよう断裁する断裁工程を備える。【選択図】図１
2020019066.tif 000002
【特許請求の範囲】
【請求項１】
所定の枚葉紙単位内に少なくとも一つ以上のすき入れ模様が形成された連続用紙を前記枚葉紙単位に断裁する際に、前記すき入れ模様の位置を基準に断裁するすき入れ模様の位置に対応した定位置断裁方法であって、
前記連続用紙の抄造工程における乾燥工程以降に、前記すき入れ模様の透過画像を取得するすき入れ模様読取工程と、
前記すき入れ模様読取工程で取得した前記すき入れ模様の位置から、すき入れ基準座標を算出し、前記すき入れ基準座標から断裁制御マークを付与する位置を決定する断裁制御マーク付与位置決定工程と、
前記断裁制御マーク付与位置決定工程で決定された位置に前記断裁制御マークを付与する断裁制御マーク付与工程と、
前記連続用紙に付与された前記断裁制御マークを読取り、前記連続用紙を前記すき入れ模様が前記枚葉紙単位内の定位置になるように制御して断裁する断裁工程を少なくとも備えたことを特徴とするすき入れ模様位置に対応した定位置断裁方法。
【請求項２】
前記断裁制御マーク付与位置決定工程は、
前記枚葉紙単位内に複数の前記すき入れ模様が形成された場合、複数の前記すき入れ模様の位置を案分して前記すき入れ基準座標を算出し、前記断裁制御マークを付与する位置を決定することを特徴とする請求項１記載のすき入れ模様位置に対応した定位置断裁方法。
【請求項３】
前記断裁制御マークは、前記連続用紙の幅方向及び／又は流れ方向の断裁位置を示すことを特徴とする請求項１又は２記載のすき入れ模様位置に対応した定位置断裁方法。
【請求項４】
前記断裁制御マークは、印刷マーク及び／又は穿孔であることを特徴とする請求項１から３のいずれか一項に記載のすき入れ模様位置に対応した定位置断裁方法。
【発明の詳細な説明】
【技術分野】
【０００１】
本発明は、少なくとも一つ以上のすき入れ模様が形成された連続用紙を所定の枚葉紙単位に断裁する際に、すき入れ模様の位置が一定の位置となるようにすき入れ模様位置を読み取り、定位置断裁する方法に関する。
【背景技術】
【０００２】
銀行券、株券、債権等の貴重製品は、偽造や改ざんがされにくいことが求められ、これらの偽造防止技術としては、透過光下で観察されるすき入れ模様が代表的である。すき入れ技術は、木材等の繊維を原料として抄紙工程において形成されることが一般的であり、円網方式やダンディロールを用いて湿紙に型押しする長網方式で形成される。
【０００３】
抄紙工程ですき入れ模様が形成された連続用紙は、乾燥後に巻き取られ、次工程において枚葉紙に断裁されるが、一定寸法の枚葉紙に断裁するために定位置で断裁した場合、用紙の各々の券面に形成されたすき入れ模様の位置にばらつきが生じることもあり、均一な製品が製造できない。そのため、本出願人は、すき入れ模様位置を基準に、すき入れ工程で形成できるすき入れトンボマークを形成し、すき入れトンボマークを透過光下で撮影することで、すき入れ工程で付与されたトンボマークを基準に断裁を行う定位置断裁方法について既に出願している（例えば、特許文献１参照）。
【先行技術文献】
【特許文献】
【０００４】
【特許文献１】特許第４４３７１８８号公報
【発明の概要】
【発明が解決しようとする課題】
【０００５】
しかしながら、特許文献１の定位置断裁方法は、湿紙の状態のすき入れ工程で付与されたトンボマークを基準に定位置断裁を実施するため、すき入れ位置を基準とした断裁を可能としているが、湿紙の状態のすき入れ工程でトンボマークを付与していることから、乾燥工程後の用紙に発生する部分的な伸縮率の違いやねじれ等により、すき入れの位置とトンボマークの位置にずれが生じ、設計どおりの位置で断裁することができない場合があった。さらに、複数のすき入れ模様が形成された枚葉紙を定位置断裁する場合には、複数の面上に形成されたすき入れ模様同士の位置やすき入れ模様とトンボマークの相対的な位置にばらつきが生じ、結果として、複数のすき入れ模様を正確に定位置で断裁できないという課題が残されていた。
【０００６】
本発明は、前述の課題を解決することを目的に、抄造工程において少なくとも一つのすき入れ模様が形成された連続用紙を精度よく定位置断裁するための方法として、すき入れ模様が形成された連続用紙の乾燥工程以降である、用紙の伸縮やねじれが発生しない乾紙状態のすき入れ模様が形成された連続用紙からすき入れ模様位置を読み取り、すき入れ模様位置を基準に断裁制御マークを付与し、その断裁制御マークを基準に定位置断裁する方法に関するものである。
【課題を解決するための手段】
【０００７】
本発明のすき入れ模様の位置に対応した定位置断裁方法は、所定の枚葉紙単位内に少なくとも一つ以上のすき入れ模様が形成された連続用紙を枚葉紙単位に断裁する際に、すき入れ模様の位置を基準に断裁するすき入れ模様の位置に対応した定位置断裁方法であって、連続用紙の抄造工程における乾燥工程以降に、すき入れ模様の透過画像を取得するすき入れ模様読取工程と、すき入れ模様読取工程で取得したすき入れ模様の位置から、すき入れ基準座標を算出し、すき入れ基準座標から断裁制御マークを付与する位置を決定する断裁制御マーク付与位置決定工程と、断裁制御マーク付与位置決定工程で決定された位置に断裁制御マークを付与する断裁制御マーク付与工程と、連続用紙に付与された断裁制御マークを読み取り、連続用紙をすき入れ模様が枚葉紙単位内の定位置となるように制御して断裁する断裁工程を少なくとも備えたことを特徴とする、すき入れ模様位置に対応した定位置断裁方法である。
【０００８】
また、本発明のすき入れ模様の位置に対応した定位置断裁方法における断裁制御マーク付与位置決定工程は、枚葉紙単位に複数のすき入れ模様が形成された場合、複数のすき入れ模様の位置を按分してすき入れ基準座標を算出し、断裁制御マークを付与する位置を決定することを特徴とするすき入れ模様位置に対応した定位置断裁方法である。
【０００９】
また、本発明のすき入れ模様の位置に対応した定位置断裁方法における断裁制御マークは、連続用紙の幅方向及び／又は流れ方向の断裁位置を示すことを特徴とするすき入れ模様位置に対応した定位置断裁方法である。
【００１０】
さらに、本発明のすき入れ模様の位置に対応した定位置断裁方法における断裁制御マークは、印刷マーク及び／又は穿孔であることを特徴とするすき入れ模様位置に対応した定位置断裁方法である。
【発明の効果】
【００１１】
本発明のすき入れ模様の位置に対応した定位置断裁方法は、断裁制御マークを形成する位置を連続用紙の乾燥工程後におけるすき入れ模様の位置から算出して決定し、付与することから、連続用紙の乾燥時における伸縮等の影響を受けることなく、正確に定位置断裁できるという効果を奏する。
【図面の簡単な説明】
【００１２】
【図１】すき入れ模様（２）が形成された連続用紙（１）に断裁制御マーク（Ｍ）が形成された例を示す図。
【図２】本発明の実施の形態で用いた長網抄紙機の構成の一例を示す図。
【図３】連続用紙（１４）から枚葉紙（１５）へと断裁される工程を示す図。
【図４】本発明の定位置断裁方法のフローチャートを示す図。
【図５】抄紙機上の装置構成の一例を示す図。
【図６】すき入れ模様撮影装置（１８）により、連続用紙（１）に形成された複数のすき入れ模様（２）を撮影する工程の一例を示す図。
【図７】すき入れ模様（２）の位置情報からすき入れ基準座標（Ｓ）及び断裁制御マーク座標（Ｄ）を決定する工程の一例を示す図。
【図８】連続用紙（１）に断裁制御マーク（Ｍ）を印字する工程の一例を示す図。
【図９】断裁制御マーク（Ｍ）を基準に、定位置断裁によって連続用紙（１４）から枚葉紙（１５）へと定位置断裁される工程の一例を示す図。
【図１０】実施例１の連続用紙（１）に対して抄造工程において形成された断裁制御マーク（Ｍ）を示す図。
【図１１】抄紙機上の装置構成の一例を示す図。
【図１２】抄紙機上における連続用紙（１）の流れ方向（Ｔ２）に対してすき入れ模様（２）を撮影するラインカメラ（２７）及びトリガーマーク（Ｔ）を印字するインクジェットプリンタ（２２）の位置関係及び工程の一例を示す図。
【図１３】ラインカメラ（２７）で撮像した画像から原点座標（Ｏ）等の設定方法を示す図。
【図１４】実施例１の定位置断裁方法で用いる断裁機の一例を示す図。
【図１５】すき入れ基準座標（Ｓ）及び断裁制御マーク座標（Ｄ）を決定する工程を示す図。
【図１６】断裁制御マーク（Ｍ）の印字位置を示す図。
【図１７】スリッター（１６）により連続用紙（１）幅方向の断裁工程を示す図。
【図１８】ロータリーカッター（１７）により連続用紙（１）流れ方向の断裁工程を示す図。
【図１９】抄紙機上の装置構成の一例を示す図。
【図２０】定位置断裁方法で用いる断裁機の一例を示す図。
【図２１】スリッター（１６）による連続用紙（１）幅方向の断裁工程を示す図。
【図２２】ロータリーカッター（１７）による連続用紙（１）流れ方向の断裁工程を示す図。
【発明を実施するための形態】
【００１３】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００１４】
（第１の実施の形態）
図１は、本発明の定位置断裁方法によって断裁する複数のすき入れ模様（２）が形成された連続用紙（１）に断裁制御マーク（Ｍ）が形成された状態を示すものである。図１で示す、複数のすき入れ模様（２）が形成された連続用紙（１）は、枚葉紙（１５）単位に定位置断裁される。
【００１５】
本発明が対象とする用紙（１）は、抄造工程ですき入れ模様（２）が形成される連続用紙（１）であり、長網抄紙機や円網抄紙機等で製造されるのが一般的である。本実施の形態では、長網抄紙機を用いて抄造される連続用紙（１）に対して、ダンディロールを用いてすき入れ模様（２）が付与された連続用紙（１）を例に説明するが、これに限定されるものではなく、プレス工程で付与される工程であっても、円網方式ですき入れ模様（２）を形成されるものであってもよい。
【００１６】
まず、長網抄紙機で抄造される連続用紙（１）にすき入れ模様（２）が付与される工程について、図２を用いて説明する。図２は、長網抄紙機を示す図であり、大きく分けて、準備部（３）、ワイヤー部（４）、プレス部（５）、乾燥部（７）、カレンダ部（１１）及びリール部（１２）で構成されており、準備部（３）では、連続用紙（１）の原材料のもつれ又は固まり等の大きな異物を除去し、原材料を分散させた紙料を準備する。
【００１７】
ワイヤー部（４）では、連続用紙（１）の幅方向（Ｔ１）の坪量バランス及び繊維の分散を促進しながらシート状に形成するが、湿紙の地合の改善や湿紙の表面を滑らかにするダンディーロール（１３）が設置されており、このダンディロール（１３）の表面を一部除去する方法や、凸状の模様部を形成することで任意のすき入れ模様（２）を形成することができる。さらに、プレス部（５）において湿紙に圧力をかけることで脱水し、乾燥部（７）へと送られる。
【００１８】
なお、従来技術では、ダンディロール（１３）ですき入れ模様（２）を形成するタイミングに合わせて定位置断裁用のすき入れトンボマークを形成しており、湿紙の時点では、すき入れ模様（２）の位置と極めて相関性の高い断裁制御マークとして付与することができる。
【００１９】
プレス部（５）と乾燥部（７）の間には、エキスパンダーロール（６）が設けられており、乾燥工程で発生する連続用紙（１）のしわ及び折れ目等を防止するため、湾曲状に形成されたエキスパンダーロール（６）の形状（湾曲量）を変形させることで、連続用紙（１）のねじれ等を調整している。
【００２０】
乾燥部（７）は、プレドライヤ部（８）、サイズパート（９）及びアフタードライヤ部（１０）から成り、プレドライヤ部（８）は、複数のドライシリンダを備え、湿紙状態の連続用紙（１）の水分を脱水及び乾燥させる。アフタードライヤ部（１０）も同様に、複数のドライシリンダを備え、連続用紙（１）中の水分を管理目標値内に調整する。ここまでのプレス部（５）及び乾燥部（７）の工程において、連続用紙（１）の伸縮やねじれ等が発生するため、複数のすき入れ模様（２）の位置及び断裁制御マークとして付与されたトンボマークとの位置関係に誤差が生じることから、当該トンボマークを基準に定位置断裁しても、複数のすき入れ模様（２）位置にズレが生じることとなる。
【００２１】
また、連続用紙（１）上の紙粉低減と印刷適性の向上を目的に、プレドライヤ部（８）及びアフタードライヤ部（１０）の間にサイズパート（９）を設け、薬液等を連続用紙（１）表面に塗布してもよい。カレンダ部（１１）は、所定の圧力をかけた複数のカレンダーロールの間に連続用紙（１）を通過させることで、連続用紙（１）表面の平滑度及び紙厚の調整を行っている。
【００２２】
カレンダ部（１１）を通過した連続用紙（１）は、伸縮やねじれ等の変形を終えた状態であるため、本発明の断裁制御マーク（Ｍ）は、連続用紙（１）の乾燥後、すなわち、カレンダ部（１１）からリール部（１２）の間において、すき入れ模様（２）が形成された連続用紙（１）の画像を撮像し、更には撮像した画像から、断裁制御マーク（Ｍ）を付与することで、すき入れ位置と対応した断裁制御マーク（Ｍ）とすることができるものである。カレンダ部（１１）以降の連続用紙（１）は、既に乾燥して伸縮やねじれ等の変形を終えて安定した状態の乾紙となっているため、この位置ですき入れ模様（２）位置を読み取り、断裁制御マーク（Ｍ）を付与することで、すき入れ模様（２）位置との相対的な位置関係が崩れることはない。
【００２３】
断裁制御マーク（Ｍ）が付与された連続用紙（１）は、リール部（１２）で巻き取られ、リール部（１２）で巻き取られた巻取紙（１４）は、断裁工程へ送られ、次工程で定位置断裁が行われる。
【００２４】
図３は、複数のすき入れ模様（２）が形成された巻取紙（１４）を、枚葉紙（１５）単位に断裁する工程を示すものである。図３に示す巻取紙（１４）は、幅方向（Ｔ１）に３つ分の枚葉紙（１５）を含む連続用紙（１）が形成されたものであり、スリッター（１６）によって、幅方向（Ｔ１）に断裁され、さらにはロータリーカッター（１７）によって、流れ方向（Ｔ２）に断裁され、所定の大きさに断裁された枚葉紙（１５）となる。この際、巻取紙（１４）の幅方向（Ｔ１）に対する位置制御及び流れ方向（Ｔ２）に対する断裁タイミングは、断裁制御マーク（Ｍ）を基準に制御される。
【００２５】
以上が、第１の実施の形態における長網抄紙機によって抄造される連続用紙（１）を、定位置で断裁する方法であり、抄造工程を終えた巻取紙（１４）を別工程の断裁工程で定位置断裁する方法により説明したが、本発明は、抄造工程における乾燥工程後の乾燥状態の連続用紙（１）からすき入れ模様（２）位置を検出し、その位置情報から断裁制御マーク（Ｍ）を付与し、当該断裁制御マーク（Ｍ）を基準に定位置断裁できる工程であれば、抄造から断裁までを一連の機構で実施する装置であっても、本発明の範囲に含まれるものである。
【００２６】
次に、本発明のすき入れ位置に対応した定位置断裁方法について、図４のフローチャートを用いて説明する。図４に示すように、本発明の定位置断裁方法は、すき入れ模様読取工程（Ｓ１）、断裁制御マーク付与位置決定工程（Ｓ２）、断裁制御マーク付与工程（Ｓ３）及び断裁工程（Ｓ４）を少なくとも有するものである。
【００２７】
図５は、抄紙機上における乾燥工程後にすき入れ模様（２）を撮影し、かつ、断裁制御マーク（Ｍ）を形成するための装置構成を示すものであり、カレンダ部（１１）とリール部（１２）の間に、すき入れ模様撮影装置（１８）、照明装置（１９）、付与装置（２０）及び制御装置（２１）を備えている。照明装置（１９）は、すき入れ模様（２）を透過画像として撮影する際に用いるものであるが、反射画像として正確にすき入れ模様（２）を撮影できる場合は、照明装置（１９）を用いる必要はない。
【００２８】
また、付与装置（２０）は、断裁制御マーク（Ｍ）を正確に付与できればいかなる構成であってもよく、インクジェット等の印刷方式やレーザマーカを用いて穿孔を施す方法や、エンボス加工によって凹凸により形成する方法等、その他の構成も含めて、断裁制御マーク（Ｍ）を付与することができる全ての構成が含まれる。
【００２９】
制御装置（２１）は、すき入れ模様（２）を撮影するタイミング調整や、各種条件及び撮影画像を記憶する記憶部、複数のすき入れ模様（２）位置から、基準座標の設定、複数のすき入れ模様（２）を読み取った画像からの按分等の演算を行う演算部、断裁制御マーク（Ｍ）の付与を指示する指示部を少なくとも備えている。
【００３０】
（すき入れ模様読取工程）
次に、本発明のすき入れ模様位置に対応した定位置断裁方法について説明する。まず、ステップ１として、カレンダ部（１１）以降の連続用紙（１）に付与されたすき入れ模様（２）を撮影する。このすき入れ模様（２）位置の撮影は、図５に示すように、カレンダ部（１１）及びリール部（１２）間に設けられたすき入れ模様撮影装置（１８）によって撮影される。
【００３１】
すき入れ模様撮影装置（１８）は、搬送される連続用紙（１）のすき入れ模様（２）位置を正確に撮像できれば特に限定されるものではないが、好ましくは、連続用紙（１）を挟んで一方側に照明装置（１９）、他方側にすき入れ模様撮影装置（１８）を設けることで、すき入れ模様（２）を透過画像として撮影する。また、複数のすき入れ模様（２）位置を同時に撮影するため、図６に示すラインカメラ（２７）やエリアカメラを用紙の幅方向（Ｔ１）に沿って設置し、複数のすき入れ模様（２）を同時に撮影できる構成とする。また、照明装置（１９）は、用紙の幅方向（Ｔ１）に対して均一に光を照射できるように、発光面に拡散板を設置してもよい。
【００３２】
すき入れ模様（２）の画像は、ロータリーエンコーダ等を用いて、用紙（１）の流れ方向（Ｔ２）の移動距離に対して一定の解像度となるように撮影し、撮影されたすき入れ模様（２）の画像は、制御装置（２１）に送信される。
【００３３】
すき入れ模様（２）の画像は、次工程で断裁される枚葉紙（１５）単位ごとに撮影されるが、用紙（１）の流れ方向（Ｔ２）の撮影タイミングは、枚葉紙（１５）単位ごとにマーク等を施し、そのマークをトリガー信号としてタイミングを調整してもよい。また、所定の範囲を撮影した画像から、すき入れ模様（２）における流れ方向（Ｔ２）の位置座標（ｙｓ）を算出し、座標値をタイミングに反映することで位置座標（ｙｓ）がすき入れ模様（２）の一定の位置になるように調整することで、流れ方向（Ｔ２）の撮影タイミングを調整してもよい。
【００３４】
撮影したすき入れ模様（２）の位置情報は、撮影した画像に対して制御装置（２１）を用いてエッジ検索やパターンマッチング等の一般的な画像処理方法を用いて二次元座標（ｘ，ｙ）として取得する。
【００３５】
（断裁制御マーク位置決定工程）
次に、ステップ２の断裁制御マーク位置決定工程（Ｓ２）について説明する。断裁制御マーク位置決定工程（Ｓ２）では、図７に示すように、すき入れ模様読取工程（Ｓ１）で取得したすき入れ模様（２）の位置情報から、定位置断裁時の基準座標となる、すき入れ基準座標（Ｓ）（ｘs，ｙs）及び断裁位置を制御する断裁制御マーク座標（Ｄ）（ｘｄ，ｙｄ）を決定する。この際、撮影された画像の領域の任意の点を原点座標（O）（ｘ０，ｙ０）とする。
【００３６】
仮に、一つのすき入れ模様（２）が形成された枚葉紙（１５）単位で定位置断裁する場合には、当該すき入れ模様（２）の位置がすき入れ基準座標（Ｓ）となり、すき入れ基準座標（Ｓ）に対して二次元座標において、相対的な一定の位置（ａ，ｂ）は、枚葉紙（１５）の大きさに合わせて適宜設定すればよい。
【００３７】
また、枚葉紙（１５）単位内に複数のすき入れ模様（２）が形成された連続用紙（１）を所定の枚葉紙（１５）単位に定位置断裁する場合には、連続用紙（１）に発生する乾燥時の伸縮やねじれ等によって、複数のすき入れ模様（２）間の配置にばらつきが生じ、全てのすき入れ模様（２）位置を正確に配置した定位置断裁ができない場合がある。その場合、全てのすき入れ模様（２）が定位置に最も近く配置されるように按分してすき入れ基準座標（Ｓ）を制御装置（２１）の演算部にて計算により求める。その際、撮影された全てのすき入れ模様（２）の位置を按分してもよいが、例えば、枚葉紙（１５）単位の四隅に設けられたすき入れ模様（２）位置を按分してもよい。なお、本発明における按分とは複数のすき入れ模様（２）の位置を考慮して割り振ることを指し、例えば、平均した位置を算出することや、重心を算出することなどを指す。
【００３８】
四隅のすき入れ模様（２）を按分する場合、図７に示すように、すき入れ模様（２）イ（ｘ１、ｙ１）、ロ（ｘ２、ｙ２）、ハ（ｘ３、ｙ３）、ニ（ｘ４、ｙ４）に対してすき入れ基準座標（Ｓ）は、（（ｘ１＋ｘ２＋ｘ３＋ｘ４）／４，（ｙ１＋ｙ２＋ｙ３＋ｙ４）／４）となり、断裁制御マーク座標（Ｄ）は、（（ｘ１＋ｘ２＋ｘ３＋ｘ４）／４＋ａ，（ｙ１＋ｙ２＋ｙ３＋ｙ４）／４＋ｂ）となる。
【００３９】
この際、すき入れ基準座標（Ｓ）から断裁制御マーク座標（Ｄ）までの距離（ａ，ｂ）は、常に相対的に一定の距離にあることから、断裁制御マーク（Ｍ）は、常に複数のすき入れ模様（２）の位置を按分した位置を示すこととなる。
【００４０】
（断裁制御マーク付与工程）
次に、ステップ３の断裁制御マーク付与工程（Ｓ３）について、図５及び図８を用いて説明する。断裁制御マーク付与工程（Ｓ３）では、ステップ２の断裁制御マーク位置決定工程（Ｓ２）で決定された断裁制御マーク（Ｍ）が付与される。断裁制御マーク（Ｍ）は、図５に示すように、カレンダ部（１１）とリール部（１２）の間において、前述したすき入れ模様撮影装置（１８）よりも下流に設置された付与装置（２０）で付与される。
【００４１】
断裁制御マーク（Ｍ）は、次工程の断裁工程で読取ることができればいかなる方法で形成してもよく、例えば、印刷により印刷マークを形成する方法や、レーザマーカ等により穿孔で付与する方法等、適宜選択すればよい。なお、第１の実施の形態では、インクジェットプリンタ（２２）を用いて印刷により断裁制御マーク（Ｍ）を付与した例について説明する。
【００４２】
断裁制御マーク（Ｍ）は、ステップ２の断裁制御マーク位置決定工程（Ｓ２）で決定された位置情報を制御装置（２１）からの指示に基づき、図８に示すインクジェットプリンタ（２２）によって付与する。断裁制御マーク（Ｍ）の付与時には、連続用紙（１）の幅方向（Ｔ１）に対する印字ノズルの向き、ヘッド位置及び印字形状等を制御し、連続用紙（１）流れ方向（Ｔ２）に対しては、ロータリーエンコーダで距離を測定することで、断裁制御マーク位置決定工程（Ｓ２）で求めた断裁制御マーク座標（Ｄ）に正確な断裁制御マーク（Ｍ）を印字できる。
【００４３】
（断裁工程）
次に、ステップ４の断裁工程について説明する。本実施の形態では、ステップ３の断裁制御マーク（Ｍ）の付与までを抄紙機上で実施し、ステップ４の断裁工程は、抄紙機で抄造された巻取紙（１４）から、別工程の断裁装置を用いて枚葉紙（１５）に断裁する工程で説明するが、本工程に限定されるものではなく、ステップ１からステップ４までを一連の装置で製造できる場合、すなわち、抄造された連続用紙（１）を巻き取ることなく、断裁工程に移行する形態も本発明の範囲内である。
【００４４】
図９は、第１の実施の形態で用いた断裁装置であり、幅方向（Ｔ１）に三つ分の枚葉紙（１５）及び断裁制御マーク（Ｍ）が形成された巻取紙（１４）の例で説明する。巻取紙（１４）は、流れ方向（Ｔ２）に搬送され、幅方向位置検出器（２３）で断裁制御マーク（Ｍ）を検出する。検出された断裁制御マーク（Ｍ）の位置に従い、幅方向（Ｔ１）の定位置に断裁されるように、制御装置（図示せず）からスリッター（１６）へ制御信号が送信され、当該制御信号に基づき、スリッター（１６）により幅方向（Ｔ１）の断裁を実行する。
【００４５】
幅方向位置検出器（２３）には、反射型センサ、エリアセンサ、ラインカメラ等を使用することができる。また、幅方向（Ｔ１）の位置の読取方法は、エッジ検出や画像のパターンマッチング等、任意の方法で行うことができる。
【００４６】
流れ方向（Ｔ２）の断裁は、スリッター（１６）の下流側に設置された流れ方向位置検出器（２４）によって断裁制御マーク（Ｍ）の流れ方向（Ｔ２）の位置を検出し、検出された断裁制御マーク（Ｍ）の位置に従い、流れ方向（Ｔ２）の定位置に断裁されるように、制御装置（図示せず）からロータリーカッター（１７）に制御信号が送信され、当該制御信号に基づき、ロータリーカッター（１７）により流れ方向（Ｔ２）の断裁を実行する。
【００４７】
流れ方向位置検出器（２４）には、反射型センサ、エリアセンサ、ラインカメラ等を使用することができる。断裁工程で断裁制御マーク（Ｍ）を基準に定位置断裁することで、枚葉紙（１５）におけるすき入れ模様（２）の位置は、定位置又は定位置からの距離が最小となる。
【００４８】
（第２の実施の形態）
本発明の第２の実施の形態では、断裁制御マーク（Ｍ）を穿孔で付与する例について説明する。なお、すき入れ模様読取工程（Ｓ１）及び断裁制御マーク位置決定工程（Ｓ２）については、第１の実施の形態と同様であるため、説明を省略する。
【００４９】
第２の実施の形態における断裁制御マーク付与工程（Ｓ３）では、第１の実施の形態で用いた付与装置（２０）であるインクジェットプリンタ（２２）の代わりに、レーザマーカ（３２）を用いて、穿孔により断裁制御マーク（Ｍ）を付与するものである。
【００５０】
第２の実施の形態では、穿孔により断裁制御マーク（Ｍ）を付与する付与装置（２０）として、レーザマーカ（３２）を用いた例で説明するが、連続用紙（１）に穿孔による断裁制御マーク（Ｍ）を形成できる構成、例えば、水圧による穿孔装置等、いかなる装置を用いてもよい。また、レーザマーカ（３２）を設置する位置は、第１の実施の形態でインクジェットプリンタ（２２）を設置した位置と同じであってもよいし、異なる位置であってもよい。
【００５１】
ステップ４の断裁工程では、穿孔によって付与された断裁制御マーク（Ｍ）を高精度に検出するために、透過型センサ（３３）を用いることが好ましい。また、その他の断裁工程（Ｓ４）については、第１の実施の形態と同様のため、説明を省略する。なお、断裁制御マーク（Ｍ）を穿孔によって付与した場合は、インクジェットプリンタ等の印刷で付与する場合に比べ、連続用紙（１）へのインキ等の付着がないことから、紙料への還元を行う際に紙料中への汚れの混入が抑制されるため、更に好ましい形態である。
【００５２】
以下に、本発明のすき入れ模様位置に対応した定位置断裁方法の実施例について説明するが、本発明は、この実施例に限定されるものではなく、特許請求の範囲記載における技術的思想の範囲内であれば、その他のさまざまな構成が含まれる。
【実施例】
【００５３】
（実施例１）
図２に示す長網抄紙機のダンディロール（１３）によって、Ｌ字状のすき入れ模様（２）を形成した連続用紙（１）を用いた定位置断裁方法について説明する。連続用紙（１）の製造条件は、抄造速度５０ｍ／ｍｉｎ、断裁速度８０ｍ／ｍｉｎとした。
【００５４】
連続用紙（１）の寸法は、図１０に示すように、幅方向に５００ｍｍとし、流れ方向（Ｔ２）に形成されるすき入れ模様（２）間の距離を１，１００ｍｍ間隔で付与した。また、連続用紙（１）から断裁される枚葉紙（１５）単位の寸法は、幅方向（Ｔ１）３００ｍｍ、流れ方向（Ｔ２）１，０００ｍｍとし、すき入れ模様（２）であるＬ字の交点の位置は、連続用紙（１）の中央とした。断裁制御マーク（Ｍ）の形状は、幅方向（Ｔ１）１０ｍｍ×流れ方向（Ｔ２）１０ｍｍの十字形状とし、断裁制御マーク座標（Ｄ）は、十字の交点とした。
【００５５】
（装置構成）
次に、実施例１の定位置断裁方法におけるステップ１から３を実行する装置構成について、図１１を用いて説明する。図１１に示すように、抄紙機のカレンダ部（１１）の下流側に、用紙（１）の流れ方向（Ｔ２）に対するタイミング調整用のトリガーマーク（Ｔ）を付与する印刷機（２５）と、印刷したトリガーマーク（Ｔ）を検出するための反射型センサ（２６）と、すき入れ模様（２）の透過画像を撮影するための照明装置（１９）及び４，０９６画素のラインカメラ（２７）と、連続用紙（１）に断裁制御マーク（Ｍ）を付与するインクジェットプリンタ（２２）と制御装置（２１）を備える構成とした。また、照明装置（１９）は、用紙の幅方向（Ｔ１）に対してムラなく光を照射できるように、発光面に拡散版を設置した。
【００５６】
制御装置（２１）は、反射型センサ（２６）からのタイミング情報、ラインカメラ（２７）で撮影したすき入れ模様（２）の画像、各種撮影条件等を記憶する記憶部と、撮影したすき入れ模様（２）位置から断裁制御マーク（Ｍ）の位置を演算により求める演算部と、インクジェットプリンタ（２２）に断裁制御マーク（Ｍ）の付与を指示する指示部と、その他の動作を含めてすき入れ模様撮影装置と付与装置の動作を制御する制御部を備えた構成とした。
【００５７】
ラインカメラ（２７）とインクジェットプリンタ（２２）の位置関係については、図１２に示すように、ラインカメラ（２７）の撮影位置から流れ方向（Ｔ２）の下流２，０００ｍｍ、ラインカメラ（２７）の視野中央から下流を見て左側１５０ｍｍの位置の用紙（１）表面側にインクジェットプリンタ（２２）を設置し、制御装置（２１）から指示された位置の用紙（１）表面に断裁制御マーク（Ｍ）を印字するようにした。
【００５８】
ラインカメラ（２７）とインクジェットプリンタ（２２）の間を搬送される連続用紙（１）の表面にロータリーエンコーダ（図示せず）を接触させ、ラインカメラ（２７）は、ロータリーエンコーダからのパルス信号に従って、連続用紙（１）が０．１ｍｍ搬送されるごとに幅方向１ラインの画像を撮影するようにした。撮影範囲は、幅方向（Ｔ１）４００ｍｍ、流れ方向（Ｔ２）１，０００ｍｍ、とした。ラインカメラ（２７）は、４，０９６画素のうち、中央４，０００画素を使用した。そのため、画像の解像度は、幅方向（Ｔ１）で約０．１ｍｍ／画素、流れ方向（Ｔ２）で０．１ｍｍ／画素となった。
【００５９】
図１３に示すように、抄紙機上のラインカメラ（２７）で撮影した画像は、連続用紙（１）の幅方向（Ｔ１）４，０００画素、流れ方向（Ｔ２）１０，０００画素で構成した。画素の幅方向（Ｔ１）の位置をｘ座標（０〜３，９９９）で表し、流れ方向（Ｔ２）の位置をｙ座標（０〜９，９９９）で表した。原点座標（Ｏ）となる（ｘ０,ｙ０）の位置は、連続用紙（１）の下流側を上にした際に、連続用紙（１）表面から見て左上の位置となるようにした。以降、画像上の位置関係について原点に近い方をマイナス側と呼ぶ。
【００６０】
次に、ステップ４の断裁工程（Ｓ４）について説明する。実施例１の断裁工程（Ｓ４）は、図１４に示す断裁装置を用いて実施した。なお、断裁工程（Ｓ４）以降の装置構成については説明を省略する。図１４に示すように、断裁装置は、巻取紙（１４）を幅方向（Ｔ１）に断裁するスリッター（１６）と、流れ方向（Ｔ２）の枚葉紙（１５）サイズに断裁するロータリーカッター（１７）で構成した。また、スリッター（１６）により幅方向（Ｔ１）の断裁を実施する位置を検出するため、スリッター（１６）の１，０００ｍｍ上流にエリアカメラ（３０）を設置し、エリアカメラ（３０）の１００ｍｍ上流に反射型センサ（２８）を設置し、ロータリーカッター（１７）の５００ｍｍ上流に反射型センサ（３１）を設置した。
【００６１】
エリアカメラ（３０）は、巻取紙（１４）の幅方向（Ｔ１）１００ｍｍ×流れ方向（Ｔ２）１００ｍｍのエリアを１，０００画素×１，０００画素で撮影するようにした。そのため、エリアカメラ（３０）の解像度は、幅方向（Ｔ１）及び流れ方向（Ｔ２）とも０．１ｍｍ／画素となった。
【００６２】
エリアカメラ（３０）で撮影した画像は、幅方向（Ｔ１）の画素位置をｘ座標（０〜９９９）で表し、流れ方向（Ｔ２）の画素位置をｙ座標（０〜９９９）で表した。座標の原点となる（ｘ０,ｙ０）の位置は、巻取紙（１４）の上流側を上にした際に、巻取紙（１４）表面から見て左上の位置となる。
【００６３】
エリアカメラ（３０）で撮影した画像の幅方向（Ｔ１）における中央（ｘ座標＝５００）をスリッター（１６）で断裁するように、スリッター（１６）とエリアカメラ（３０）の設置位置を調節した。
【００６４】
（抄紙機上での断裁制御マークの付与）
まず、ステップ１のすき入れ模様読取工程（Ｓ１）について、図１１の装置構成を用いて説明する。まず、連続用紙（１）の流れ方向（Ｔ２）の撮影タイミングを決定するため、図１０に示したトリガーマーク（Ｔ）を１，１００ｍｍ間隔で印刷機（２５）により印刷し、反射型センサ（２６）で当該トリガーマーク（Ｔ）をトリガー信号として検出し、そのトリガー信号を制御装置（２１）に送信する。制御装置（２１）は、そのトリガー信号に基づき、ラインカメラ（２７）ですき入れ模様（２）を撮影するタイミングを指示し、流れ方向（Ｔ２）に１，０００ｍｍの画像を撮影した。
【００６５】
次に、ステップ２の断裁制御マーク位置決定工程（Ｓ２）について説明する。ステップ１のすき入れ模様読取工程（Ｓ１）で撮影したすき入れ模様（２）から基準座標を設定する方法として、あらかじめ、制御装置（２１）の記憶部に登録されたすき入れ模様（２）の基準画像と比較する、パターンマッチングにより座標位置を特定する方法を用いた。
【００６６】
すき入れ基準座標（Ｓ）及び断裁制御マーク座標（Ｄ）は、図１５に示すように、検出したすき入れ模様（２）の座標において、Ｌ字の交点にある座標を、すき入れ基準座標（Ｓ）（ｘs,ｙs）とし、続いて断裁制御マーク座標（Ｄ）として決定した。断裁制御マーク（Ｍ）の付与位置は、すき入れ基準座標（Ｓ）（ｘs,ｙs）を基準に、画像上で幅方向（Ｔ１）−１５０ｍｍ、流れ方向（Ｔ２）−５００ｍｍの位置に断裁制御マーク（Ｍ）を印字するため、断裁制御マーク座標（Ｄ）=（ｘｓ−１，５００,ｙs−５，０００）となった。
【００６７】
断裁制御マーク（Ｍ）を付与するインクジェットプリンタ（２２）は、ラインカメラ（２７）の中央を基準に、幅方向（Ｔ１）に−１５０ｍｍ、流れ方向（Ｔ２）に−２，０００ｍｍとして設置されているため、インクジェットプリンタ（２２）の位置画像を仮想座標Ｉ＝（ｘＩ,ｙＩ）として表記すると、Ｉ=（５００,−１０，０００）となった。
【００６８】
インクジェットプリンタ（２２）で断裁制御マーク座標（Ｄ）の位置に断裁制御マーク（Ｍ）を印字するため、Ｉに対する断裁制御マーク座標（Ｄ）の位置を求めるとｘ=（ｘs−１５００）−５００、ｙ=（ｙs−５，０００）＋１０，０００の位置関係となった。
【００６９】
図１６に示すように、これを距離に直すと、幅方向（Ｔ１）及び流れ方向（Ｔ２）ともに画像の解像度は０．１ｍｍ／画素であるため、インクジェットプリンタ（２２）から見て、幅方向（Ｔ１）に（０．１ ｘs−２００）ｍｍ、流れ方向（Ｔ２）に（０．１ ｙs＋５００）ｍｍの位置が断裁制御マーク（Ｍ）の印字位置となった。
【００７０】
次に、ステップ３の断裁制御マーク付与工程（Ｓ３）について説明する。制御装置（２１）は、インクジェットプリンタ（２２）に対して、断裁制御マーク（Ｍ）の印字位置を指示し、インクジェットプリンタ（２２）は、制御装置（２１）からの指示に従って、断裁制御マーク（Ｍ）の印字位置を制御して印字する。幅方向（Ｔ１）の印字位置は、インクジェットプリンタ（２２）のインク噴出方向を変化させて制御し、流れ方向（Ｔ２）の印字位置は、ロータリーエンコーダのパルスを積算して距離に換算して制御した。
【００７１】
次に、ステップ４の断裁工程（Ｓ４）について、図１７及び図１８を用いて説明する。図１７に示すように、断裁機のスリッター（１６）の上流に設置した反射型センサ（２８）で巻取紙（１４）の表面に印字された断裁制御マーク（Ｍ）の反射波形を検出してエリアカメラ（３０）のトリガー信号とし、エリアカメラ（３０）で撮影した画像から、パターンマッチング手法により断裁機における断裁制御マーク（Ｍ）の断裁制御マーク座標（Ｄ）のｘ座標（ｘd）を算出した。
【００７２】
また、断裁制御マーク（Ｍ）の位置の幅方向（Ｔ１）の座標ｘdが５００となるようにスリッター位置制御装置（２９）で幅方向（Ｔ１）の位置を変更し、断裁制御マーク（Ｍ）の巻取紙（１４）の幅方向（Ｔ１）の位置座標（ｘ）が５００となるように制御した。その結果、スリッター（１６）によって断裁制御マーク（Ｍ）の交点を正確に断裁することができた。
【００７３】
続いて、図１８に示すように、断裁機のロータリーカッター（１７）の上流に設置した反射型センサ（３１）を用いて、スリッター（１６）後に切り残った断裁制御マーク（Ｍ）の波形を検出してロータリーカッター（１７）のトリガー信号とし、反射型センサ（３１）が断裁制御マーク（Ｍ）の波形を検出してから用紙（１）を５００ｍｍ搬送した時点で、ロータリーカッター（１７）で巻取紙（１４）を断裁した。その結果、ロータリーカッター（１７）によって断裁制御マーク（Ｍ）の印字画線上を正確に断裁することができた。
【００７４】
実施例１のすき入れ模様（２）位置に対応した定位置断裁方法を用いた枚葉紙（１５）のすき入れ模様（２）は、全てＬ字の交点が枚葉紙（１５）の中央にあり、定位置断裁されていることを確認した。
【００７５】
（実施例２）
実施例２の定位置断裁方法について、図１９から図２２を用いて説明する。実施例２の定位置断裁方法は、実施例１で断裁制御マーク（Ｍ）を付与したインクジェットプリンタに代わり、レーザマーカ（３２）を用いて穿孔により、断裁制御マーク（Ｍ）を付与したものであり、断裁制御マーク付与工程（Ｓ３）及び断裁工程（Ｓ４）以外は、連続用紙（１）、装置構成及びその他の工程の全てが同様であるため、説明を省略する。
【００７６】
（装置構成）
図１９に示すように、断裁制御マーク（Ｍ）の付与装置としてレーザマーカ（３２）を用い、連続用紙（１）に穿孔によって断裁制御マーク（Ｍ）を付与した。レーザマーカ（３２）の設置位置は、実施例１におけるインクジェットプリンタ（２２）と同じ位置に設置した。また、断裁制御マーク（Ｍ）の形状及び寸法は、実施例１と同様のものとした。
【００７７】
幅方向（Ｔ１）への穿孔は、レーザマーカ（３２）のレーザ照射方向を変化させて制御し、流れ方向（Ｔ２）への穿孔は、ロータリーエンコーダのパルスを積算して距離に換算して制御した。
【００７８】
図２０は、実施例２で用いた断裁装置であり、実施例１の断裁装置と異なる点は、穿孔により形成した断裁制御マーク（Ｍ）を正確に検出するため、照明装置（１９）と透過型センサ（３３）を用い、さらに、エリアカメラ（３０）と対応した位置にも照明装置（１９）を設置した。
【００７９】
（抄紙機上での断裁制御マークの付与）
実施例１と同様の方法により、ステップ１及び２を実行し、ステップ３の断裁制御マーク付与工程（Ｓ３）として、レーザマーカ（３２）によって断裁制御マーク（Ｍ）を穿孔により形成した。
【００８０】
次に、ステップ４の断裁工程（Ｓ４）について、図２１及び図２２を用いて説明する。図２１に示すように、断裁機のスリッター（１６）の上流に設置した反射型センサ（３１）で穿孔により形成された断裁制御マーク（Ｍ）の透過波形を検出してエリアカメラ（３０）のトリガー信号とし、エリアカメラ（３０）で撮影した透過画像から、パターンマッチング手法により断裁機における断裁制御マーク（Ｍ）の断裁制御マーク座標（Ｄ）のｘ座標（ｘd）を算出した。
【００８１】
また、断裁制御マーク（Ｍ）の位置の幅方向（Ｔ１）の座標ｘdが５００となるようにスリッター位置制御装置（２９）で幅方向（Ｔ１）の位置を変更し、断裁制御マーク（Ｍ）の用紙（１）の幅方向（Ｔ１）の位置座標（ｘ）が５００となるように制御した。その結果、スリッター（１６）によって断裁制御マーク（Ｍ）の交点を正確に断裁することができた。
【００８２】
続いて、図２２に示すように、断裁機のロータリーカッター（１７）の上流に設置した透過型センサ（３３）を用いて、スリッター（１６）後に切り残った断裁制御マーク（Ｍ）の透過波形を検出してロータリーカッター（１７）のトリガー信号とし、透過型センサ（３３）が断裁制御マーク（Ｍ）の透過波形を検出してから用紙（１）を５００ｍｍ搬送した時点で、ロータリーカッター（１７）で用紙（１）を断裁した。その結果、ロータリーカッター（１７）によって断裁制御マーク（Ｍ）の印字画線上を正確に断裁することができた。
【００８３】
実施例２のすき入れ模様（２）位置に対応した定位置断裁方法を用いた枚葉紙（１５）のすき入れ模様（２）は、全てＬ字の交点が枚葉紙（１５）の中央にあり、定位置断裁されていることを確認した。
【符号の説明】
【００８４】
１    連続用紙
２    すき入れ模様
３    準備部
４    ワイヤー部
５    プレス部
６    エキスパンダーロール
７    乾燥部
８    プレドライヤ部
９    サイズパート
１０  アフタードライヤ部
１１  カレンダ部
１２  リール部
１３  ダンディロール
１４  巻取紙
１５  枚葉紙
１６  スリッター
１７  ロータリーカッター
１８  すき入れ模様撮影装置
１９  照明装置
２０  付与装置
２１  制御装置
２２  インクジェットプリンタ
２３  幅方向位置検出器
２４  流れ方向位置検出器
２５  印刷機
２６  反射型センサ
２７  ラインカメラ
２８  反射型センサ
２９  スリッター位置制御装置
３０  エリアカメラ
３１  反射型センサ
３２  レーザマーカ
３３  透過型センサ
Ｏ    原点座標
Ｓ    すき入れ基準座標
Ｄ    断裁制御マーク座標
Ｍ    断裁制御マーク
Ｔ    トリガーマーク
Ｔ１  幅方向
Ｔ２  流れ方向
Ｓ１  すき入れ模様読取工程
Ｓ２  断裁制御マーク付与位置決定工程
Ｓ３  断裁制御マーク付与工程
Ｓ４  断裁工程
【図１】
2020019066.tif 000003
【図２】
2020019066.tif 000004
【図３】
2020019066.tif 000005
【図４】
2020019066.tif 000006
【図５】
2020019066.tif 000007
【図６】
2020019066.tif 000008
【図７】
2020019066.tif 000009
【図８】
2020019066.tif 000010
【図９】
2020019066.tif 000011
【図１０】
2020019066.tif 000012
【図１１】
2020019066.tif 000013
【図１２】
2020019066.tif 000014
【図１３】
2020019066.tif 000015
【図１４】
2020019066.tif 000016
【図１５】
2020019066.tif 000017
【図１６】
2020019066.tif 000018
【図１７】
2020019066.tif 000019
【図１８】
2020019066.tif 000020
【図１９】
2020019066.tif 000021
【図２０】
2020019066.tif 000022
【図２１】
2020019066.tif 000023
【図２２】
2020019066.tif 000024